(57)【要約】  【課題】  押しボタンの過剰な移動を防止できるボタンユニットを提供する。  【解決手段】  ボタン部２１の移動を制止させるストッパー３１は、支持体３１ａと、この支持体３１ａの端部に設けられた係合片３１ｂとから構成される。一方、ボタン部２１は、この係合片３１ｂと接触するプッシュ片２１ｂを含むようになっている。そして、係合片３１ｂとプッシュ片２１ｂとが係合した場合における、係合片３１ｂおよびプッシュ２１ｂの各接触面は、支持体３１ａの長手方向に対して傾斜するようになっている。【選択図】      図１
2006269316.tif 000002
【特許請求の範囲】
【請求項１】
ハウジングの開口を通じて押圧されるボタン部と、このボタン部と係合することで、ボ
タン部の移動を制止する制止部とから構成されるボタンユニットにおいて、
上記制止部は、支持体と、この支持体の端部に設けられた係合片とから構成される一方
、
上記ボタン部は、上記係合片と接触する接触片を含むようになっており、
上記の係合片と接触片とが係合した場合における、係合片および接触片の各接触面は、
上記支持体の長手方向に対して傾斜し、
上記係合片の接触面は、上記支持体の長手方向に対して、鋭角に傾斜している一方、
上記接触片の接触面は、上記支持体の長手方向に対して、鈍角に傾斜して、
上記接触片の付勢方向と、この接触片と接触する係合片の接触面とが、直交関係になっ
ていることを特徴とするボタンユニット。
【請求項２】
ハウジングの開口を通じて押圧されるボタン部と、このボタン部と係合することで、ボ
タン部の移動を制止する制止部とから構成されるボタンユニットにおいて、
上記制止部は、支持体と、この支持体の端部に設けられた係合片とから構成される一方
、
上記ボタン部は、上記係合片と接触する接触片を含むようになっており、
上記の係合片と接触片とが係合した場合、接触片の付勢方向と、この接触片と接触する
係合片の接触面とが、直交関係となっていることを特徴とするボタンユニット。
【請求項３】
上記の係合片と接触片とが係合した場合における、係合片および接触片の各接触面は、
上記支持体の長手方向に対して傾斜していることを特徴とする請求項２に記載のボタンユ
ニット。
【請求項４】
上記係合片の接触面は、上記支持体の長手方向に対して、鋭角に傾斜している一方、
上記接触片の接触面は、上記支持体の長手方向に対して、鈍角に傾斜していることを特
徴とする請求項３に記載のボタンユニット。
【発明の詳細な説明】
【技術分野】
【０００１】
本発明は、例えば電子機器に関するものであり、特に、電子機器に備えられたボタンユ
ニットに関するものである。
【背景技術】
【０００２】
従来から、電子機器には種々のボタンが備えられるようになっている（例えば特許文献
１等）。
【０００３】
例えば、ポータブルコンピュータ（ＰＣ）やビデオレコーダーのような電子機器は、電
源ＯＮ／ＯＦＦボタン（押しボタン）や録画開始ボタン（押しボタン）が備えられるよう
になっている。
【０００４】
そして、このような押しボタン（ボタン部）は、ハウジング（筐体）の外壁に配置され
ており、ユーザーの手の指先等で押されるようになっている。
【０００５】
すると、ユーザーによって押圧された押しボタンは、電子機器内部に備え付けられた回
路基板、特に、回路基板上に設けられたタクトスイッチと接触するようになっている。そ
して、このタクトスイッチの接触による押下にしたがい、電子機器では、所望の電子制御
（例えば、ビデオレコーダーによる録画開始等）が行われるようになっている。
【０００６】
図４・図５（図４の部分拡大図）を用いて詳説すると、図４は、ハウジング１１１に設
けられた押しボタン１２１の概略構成図を示している。そして、押しボタン１２１は、ユ
ーザー等の指によって押されることで、Ｐ方向へと移動し、押しボタン１２１を構成する
押下片１２１ｃによって、タクトスイッチ１４２は押下されるようになっている。
【特許文献１】特開２００２−１８３７８６号公報
【発明の開示】
【発明が解決しようとする課題】
【０００７】
このような押しボタン１２１が設けられている場合、通常、過剰な押しボタン１２１の
移動（Ｐ方向への移動）を防止すべく、ストッパー（制止部）１３１が設けられるように
なっている。しかし、ユーザーが押しボタン１２１を過剰に押しすぎると、ストッパー１
３１による制止をこえて、押しボタン１２１とストッパー１３１との係合が解離してしま
う場合がある。
【０００８】
このような事態が生じると、押しボタン１２１・ストッパー１３１の破損だけではなく
、電子機器の破損につながってしまうおそれがある。
【０００９】
本発明は、上記の問題点を解決するためになされたものであって、その目的は、押しボ
タンの過剰な移動を防止できるボタンユニットを提供することにある。
【課題を解決するための手段】
【００１０】
本発明は、ハウジングの開口を通じて押圧されるボタン部と、このボタン部と係合する
ことで、ボタン部の移動を制止する制止部とから構成されるボタンユニットであって、上
記制止部は、支持体と、この支持体の端部に設けられた係合片とから構成される一方、上
記ボタン部は、上記係合片と接触する接触片を含むようになっており、上記の係合片と接
触片とが係合した場合、接触片の付勢方向と、この接触片と接触する係合片の接触面とが
、直交関係となっていることを特徴としている。
【００１１】
具体的には、上記制止部は、支持体と、この支持体の端部に設けられた係合片とから構
成される一方、上記ボタン部は、上記係合片と接触する接触片を含むようになっており、
上記の係合片と接触片とが係合した場合における、係合片および接触片の各接触面は、上
記支持体の長手方向に対して傾斜している。
【００１２】
そして、特に、上記係合片の接触面は、上記支持体の長手方向に対して、鋭角に傾斜し
ている一方、上記接触片の接触面は、上記支持体の長手方向に対して、鈍角に傾斜してい
ることが好ましい。
【００１３】
これによると、ユーザーの押圧によって、移動（例えば回動）してくるボタン部（具体
的には接触片）は、効率よく、制止部の係合片に引っかかるようになる。つまり、係合片
の接触面は、支持体の長手方向に対して、鋭角に傾斜させ、接触片の接触面は、支持体の
長手方向に対して、鈍角に傾斜させることで、接触片による付勢方向と、係合片の一面（
接触面）とが直交関係になるようにしているためである。
【００１４】
このような直交関係が成立すると、ボタン部一面（接触片の接触面）を係合片の一面の
全域（係合片の接触面）で受け止めることができる。その結果、係合片と接触片との噛み
合いが強固となる。
【００１５】
すると、両者（係合片・接触片）が互いにズレないようになる。そのため、係合片と接
触片との係わり合いがはずれにくくなり、係合片と接触片との解離に起因するボタン部・
制止部の破損は防止されることになる。また、同時に、電子機器の破損も防止できること
になる。
【発明の効果】
【００１６】
本発明のボタンユニットでは、ボタン部と制止部との係合がはずれにくくなる。そのた
め、ユーザーがボタン部を過剰に押圧したときに、ボタン部・制止部が破損する事態を防
止できる。
【発明を実施するための最良の形態】
【００１７】
［実施の形態１］
本発明の実施の一形態について、図面に基づいて説明すれば、以下の通りである。
〔ボタンユニットについて〕
図２は、電子機器における部分構成図を示している。具体的には、電子機器の外装等に
なるハウジング１１、このハウジング１１に取り付けられるボタン部２１、ボタン部２１
の移動を制止するストッパー（制止部）３１、および回路基板４１を図示している。なお
、このボタン部２１・ストッパー３１から構成されるものをボタンユニット５１と表現す
る。
〈ハウジングについて〉
ハウジング１１は、電子機器の外装等を構成するものであり、図２では、電子機器のフ
ロントパネルに相当するハウジング１１となっている。このハウジング１１には、図２に
示すように、ボタン部２１（具体的には、本体片２１ａ）を取り付けるための取付部１２
が設けられるようになっている。
【００１８】
そして、ユーザー等の指で、ボタン部２１（具体的にはプッシュ片２１ｂ；後述）を押
さえつけ可能にするために、ハウジング１１の外部から内部へとつながる開口１３が設け
られるようになっている。
〈ボタン部について〉
ボタン部２１は、ボタン部２１の本体となる本体片２１ａと、ユーザーによって押さえ
つけられる（押圧される）プッシュ片（接触片）２１ｂと、回路基板４１のタクトスイッ
チ４２と接触する押下片２１ｃとから構成されるようになっている。
【００１９】
本体片２１ａは、ハウジング１１の取付部１２に溶着されるようになっており、この溶
着によって、ハウジング１１の底面に対して立設するようになっている。
【００２０】
プッシュ片２１ｂは、立設した本体片２１ａの上方（一端）に位置し、かつハウジング
１１の開口１３に嵌るように位置している。したがって、このプッシュ片２１ｂがユーザ
ーによって、押さえつけられると（プッシュされると）、本体片２１ａ（ひいては、ボタ
ン部２１）が取付部１２を支点にして回動（移動）するようになっている。
【００２１】
押下片２１ｃは、立設した本体片２１ａに対して突き出るように設けられている。そし
て、この押下片２１ｃは、ボタン部２１（プッシュ片２１ｂ）がプッシュされたときの移
動にともなって、タクトスイッチ４２と接触するようになっている。
〈ストッパーについて〉
ストッパー３１は、ボタン部２１のプッシュ片２１ｂと接触することによって、ボタン
部２１の過剰な回動（Ｐ方向の移動）を制止するものである。具体的には、ストッパー３
１の本体を構成する支持体３１ａと、この支持体３１ａの端部に設けられた係合片３１ｂ
とから構成されている。
〈回路基板について〉
回路基板４１は、一枚状の基板であって、タクトスイッチ４２を備えるようになってい
る。そして、このタクトスイッチ４２が押圧（押されて変動；押動）されることによって
、電子機器の制御が行われるようになっている。
【００２２】
なお、この回路基板４１におけるタクトスイッチ４２は、上述してきたボタン部２２（
具体的には押下片２１ｃ）によって、押圧されるようになっている。したがって、ユーザ
ーの指先等で押されることで回動（変動）する押下片２１ｃと、接触可能な範囲に、回路
基板４１（具体的にはタクトスイッチ４２）が位置するようになっている。
〔本発明の種々の特徴について〕
以上のように、本発明のボタンユニット５１は、ハウジング１１の開口１３を通じて押
圧されるボタン部２１（具体的にはプッシュ片２１ｂ）と、このボタン部２１と係合する
ことで、ボタン部２１の移動を制止するストッパー３１とから構成されている。
【００２３】
そして、ストッパー３１は、支持体３１ａと、この支持体３１ａの端部に設けられた係
合片３１ｂとから構成される一方、ボタン部２１は、この係合片３１ｂと接触するプッシ
ュ片２１ｂを含むようになっている。
【００２４】
そして、本発明では、図３・図１（図３の部分拡大図）に示すように、係合片３１ｂと
プッシュ片２１ｂとが係合した場合における、係合片３１ｂおよびプッシュ２１ｂの各接
触面は、支持体３１ａの長手方向に対して傾斜するようになっている。
【００２５】
具体的には、係合片３１ｂの接触面は、支持体３１ａの長手方向に対して、鋭角（θ１
）に傾斜している一方、プッシュ２１ｂの接触面は、支持体３１ａの長手方向に対して、
鈍角（θ２）に傾斜している。
【００２６】
このように傾斜させると、ユーザーの押圧によって、回動してくるボタン部２１（具体
的には、プッシュ片２１ｂ）は、効率よく、ストッパー３１の係合片３１ｂに引っかかる
ようになる。
【００２７】
つまり、回動によって移動してくるプッシュ片２１ｂの一面（プッシュ片２１ｂの接触
面）等を係合片３１ｂの一面等の全域（係合片３１ｂの接触面）で受け止めることができ
る。これは、プッシュ片２１ｂによる付勢方向（α）と、係合片３１ｂの一面（接触面）
とが直交関係（θ３）になるようにしているためである。
【００２８】
このような接触（係合片３１ｂとプッシュ片２１ｂとの接触）が実現すると、両者（係
合片３１ｂ・プッシュ片２１ｂ）が互いにズレないようになる。その結果、係合片３１ｂ
とプッシュ片２１ｂとの係わり合いがはずれにくくなる。
【００２９】
すると、係合片３１ｂとプッシュ片２１ｂとの解離に起因するボタン部２１・ストッパ
ー３１の破損は防止されることになるだけではなく、電子機器の破損も防止できることに
なる。
［その他の実施の形態］
なお、本発明は上記の実施の形態に限定されず、本発明の趣旨を逸脱しない範囲で、種
々の変更が可能である。
【００３０】
例えば、支持体３１ａの長手方向に対する係合片３１ｂの接触面の傾斜角は、鋭角であ
ればよく、その角度は適宜変更させることができる。また、同様に、支持体３１ａの長手
方向に対するプッシュ片２１ｂの接触面の傾斜角は、鈍角であればよく、その角度は適宜
変更させることができる。要は、係合片３１ｂとプッシュ片２１ｂとが効率よく引っかか
りあえる角度であればよい。
【００３１】
また、上述では、係合片３１ｂの接触面・プッシュ片２１ｂの接触面の傾斜角度を適宜
変更することによって、ストッパー３１とボタン部２１との係合解離を防止してきたがこ
れに限定されることはない。例えば、係合片３１ｂの接触面・プッシュ片２１ｂの接触面
を摩擦係数の高い材質で形成させるようにして、両者（係合片３１ｂの接触面・プッシュ
片２１ｂの接触面）が解離しないようにしてもよい。
【００３２】
また、上述では、ボタン部２１は、一端を支点として回動する機構を有しているものを
列挙して説明してきたが、これに限定されるものではない。例えば、スライド式のボタン
部であってもよい。要するに、ボタン部２１は、ストッパー３１に接触できるような移動
方式であればよく、回動式であろうと、スライド式であろうと構わない。
【産業上の利用可能性】
【００３３】
本発明は、種々の電子機器において、有用である。
【図面の簡単な説明】
【００３４】
【図１】後述の図２の部分拡大図である。
【図２】本発明のボタンユニットを示す概略構成図である。
【図３】ボタン部が移動している状態を示す説明図である。
【図４】従来のボタン（押しボタン）を示す概略構成図である。
【図５】図４の部分拡大図である。
【符号の説明】
【００３５】
１１      ハウジング
１２      取付部
１３      開口
２１      ボタン部
２１ａ    本体片（ボタン部）
２１ｂ    プッシュ片（接触片；ボタン部）
２１ｃ    押下片（ボタン部）
３１      ストッパー（制止部）
３１ａ    支持体（制止部）
３１ｂ    係合片（制止部）
４１      回路基板
４２      タクトスイッチ
５１      ボタンユニット
θ１      支持体の長手方向に対する係合片の接触面の傾斜角
θ２      支持体の長手方向に対する接触片の接触面の傾斜角
θ３      付勢方向と係合片の接触面との角度
α        付勢方向
【図１】
2006269316.tif 000003
【図２】
2006269316.tif 000004
【図３】
2006269316.tif 000005
【図４】
2006269316.tif 000006
【図５】
2006269316.tif 000007